(57)【要約】    【課題】  インク収容管の先端に継ぎ手を固定しようとする際に、インク収容管の内部のインクが後方へずれにくい筆記具を提供する。    【解決手段】  継ぎ手50の後端付近に、筒状の嵌合部50aを設ける。インク収容管31の先端付近と嵌合部50aとを重ね合わせると、インク収容管31の先端付近と嵌合部50aとが嵌合する。インク収容管31の先端付近と嵌合部50aとが重なり合う部分に、継ぎ手50の内部と外部とを連通させる通気部50bを設ける。通気部50bは、インク収容管31の先端付近と嵌合部との重ね合わせ始めからインク収容管31と嵌合部50aとを重ね合わせる途中までは、開放され、インク収容管31の先端付近と嵌合部50aとを重ね合わせた状態では、封鎖される。    【選択図】  図１
2005081646.tif 000002
【特許請求の範囲】
【請求項１】
筒状のインク収容管と、
インク収容管の先端に固定される継ぎ手と、
継ぎ手の先端に固定されるチップとを備え、
継ぎ手の後端付近には、インク収容管の先端付近とは径の大きさが異なる筒状の嵌合部が設けられ、
インク収容管の先端付近と嵌合部とを重ね合わせると、インク収容管の先端付近と嵌合部とが嵌合する筆記具であって、
インク収容管の先端付近と嵌合部とが重なり合う部分には、継ぎ手の内部と外部とを連通させる通気部が設けられ、
通気部は、インク収容管の先端付近と嵌合部との重ね合わせ始めからインク収容管と嵌合部とを重ね合わせる途中までは、開放され、インク収容管の先端付近と嵌合部とを重ね合わせた状態では、封鎖されることを特徴とする筆記具。
【請求項２】
嵌合部は、インク収容管の先端付近よりも径が大きく、
インク収容管の先端付近を嵌合部の内部に圧入して、インク収容管の先端付近と嵌合部とを重ね合わせると、インク収容管の先端付近と嵌合部とが嵌合し、
インク収容管の外周面と嵌合部の内周面との間には隙間が設けられ、この隙間が、通気部とされていることを特徴とする請求項１記載の筆記具。
【請求項３】
嵌合部の内周面には、嵌合部の後端から先端方向へ向けて延びる通気溝が設けられ、この通気溝によって、インク収容管の外周面と嵌合部の内周面との間に隙間ができることを特徴とする請求項２記載の筆記具。
【請求項４】
嵌合部の先端内側には、インク収容管の先端と全周にわたって当接する先端シール部が設けられていることを特徴とする請求項３記載の筆記具。
【請求項５】
通気溝は、先端シール部まで延びていることを特徴とする請求項４記載の筆記具。
【請求項６】
嵌合部の内側には、その外径が嵌合部の内径よりも小さい筒状の内筒部が設けられ、
内筒部は、インク収容管の先端付近の内部に挿入され、
内筒部の外周面は、インク収容管の内周面と圧接していることを特徴とする請求項２、３、４又は５記載の筆記具。
【請求項７】
嵌合部の内周面には、嵌合部の後端から先端方向へ向けて延び、かつ、嵌合部の内方へ向けて突出する内リブが設けられ、この内リブによって、インク収容管の外周面と嵌合部の内周面との間に隙間ができることを特徴とする請求項２記載の筆記具。
【請求項８】
インク収容管の外周面には、インク収容管の先端から後端方向へ向けて延び、かつ、インク収容管の外方へ向けて突出する外リブが設けられ、この外リブによって、インク収容管の外周面と嵌合部の内周面との間に隙間ができることを特徴とする請求項２記載の筆記具。
【請求項９】
嵌合部は、インク収容管の先端付近よりも径が大きく、
インク収容管の先端付近を嵌合部の内部に圧入して、インク収容管の先端付近と嵌合部とを重ね合わせると、インク収容管の先端付近と嵌合部とが嵌合し、
嵌合部の所定位置には、嵌合部の内周面から外周面まで貫通する通気孔が設けられ、この通気孔が、通気部とされていることを特徴とする請求項１記載の筆記具。
【発明の詳細な説明】
【技術分野】
【０００１】
本発明は、筆記具に関し、さらに詳しくは、インク収容管の先端に継ぎ手が固定され、この継ぎ手の先端にチップが固定されている筆記具に関するものである。
【背景技術】
【０００２】
従来、インク収容管の先端に継ぎ手が固定され、この継ぎ手の先端にチップが固定されている筆記具として、例えば、下記の特許文献１に開示されているボールペンが知られている。このボールペンは、筒状のインク収容管と、筒状の継ぎ手とを備えている。また、継ぎ手の後端付近の内径は、インク収容管の先端付近の外径よりもわずかに小さく形成されている。そして、このボールペンでは、インク収容管の先端付近を、継ぎ手の後端付近の内部に圧入することにより、インク収容管の先端に継ぎ手を固定している。
また、インク収容管の先端に継ぎ手が固定され、この継ぎ手の先端にチップが固定されている筆記具として、例えば、下記の特許文献２に開示されているボールペンも知られている。このボールペンも、筒状のインク収容管と、筒状の継ぎ手とを備えている。また、継ぎ手の後端付近の外径は、インク収容管の先端付近の内径よりもわずかに大きく形成されている。そして、このボールペンでは、継ぎ手の後端付近を、インク収容管の先端付近の内部に圧入することにより、インク収容管の先端に継ぎ手を固定している。
【特許文献１】特開２００２−１２０４８５号公報
【特許文献２】特開２００２−２１９８９２号公報
【発明の開示】
【発明が解決しようとする課題】
【０００３】
ところで、インク収容管の先端に継ぎ手が固定され、この継ぎ手の先端にチップが固定されている筆記具では、インク収容管の先端に継ぎ手を固定する工程は、継ぎ手の先端にチップを固定する工程や、インク収容管の内部にインクを収容する工程の後に行われる。
つまり、インク収容管の先端に継ぎ手を固定する際には、インク収容管の内部には、すでにインクが収容され、また、継ぎ手の先端には、すでにチップが固定されている。
このため、インク収容管の先端に継ぎ手を固定する際に、インク収容管の内部のインクが、継ぎ手の内部の空気に押されて、後方へずれてしまうことがあり、最悪の場合には、インク収容管の後端から漏れ出してしまうこともある。
【０００４】
そこで、本発明は、継ぎ手の内部の空気を外部へ排出する通気部を設けることにより、インク収容管の先端に継ぎ手を固定しようとする際に、インク収容管の内部のインクが後方へずれにくくすることを、第１の課題とする。
また、本発明は、インク収容管の外周面と嵌合部の内周面との間に隙間を設け、この隙間を通気部とすることにより、通気部の構成を比較的簡単にして、製造しやすくすることを、第２の課題とする。
また、本発明は、嵌合部の内周面に通気溝を設け、この通気溝によって、インク収容管の外周面と嵌合部の内周面との間に隙間ができるようにすることにより、隙間の構成を比較的簡単にして、製造しやすくすることを、第３の課題とする。
【０００５】
また、本発明は、嵌合部の先端内側に、インク収容管の先端と全周にわたって当接する先端シール部を設けることにより、インク収容管と継ぎ手との間の隙間からインクが漏れ出さないようにすることを、第４の課題とする。
また、本発明は、通気溝を先端シール部まで延ばすことにより、継ぎ手内部の空気の排出効率を高めて、インクの後方へのずれを極力抑えることを、第５の課題とする。
また、本発明は、インク収容管の先端付近を内側と外側との両方から押さえ込むようにして、インク収容管の先端から継ぎ手が外れにくくするとともに、インク収容管の先端付近や継ぎ手の後端付近にクラックが発生しにくくすることを、第６の課題とする。
【０００６】
また、本発明は、嵌合部の内周面に内リブを設け、この内リブによって、インク収容管の外周面と嵌合部の内周面との間に隙間ができるようにすることにより、隙間の構成を比較的簡単にして、製造しやすくすることを、第７の課題とする。
また、本発明は、インク収容管の外周面に外リブを設け、この外リブによって、インク収容管の外周面と嵌合部の内周面との間に隙間ができるようにすることにより、隙間の構成を比較的簡単にして、製造しやすくすることを、第８の課題とする。
また、本発明は、嵌合部の所定位置に通気孔を設け、この通気孔を通気部とすることにより、通気部の構成を比較的簡単にして、製造しやすくすることを、第９の課題とする。
【課題を解決するための手段】
【０００７】
（１）第１の発明
前記第１の課題に鑑み、本発明のうち第１の発明は、筒状のインク収容管31と、インク収容管31の先端に固定される継ぎ手50と、継ぎ手50の先端に固定されるチップ40とを備え、継ぎ手50の後端付近には、インク収容管31の先端付近とは径の大きさが異なる筒状の嵌合部50aが設けられ、インク収容管31の先端付近と嵌合部50aとを重ね合わせると、インク収容管31の先端付近と嵌合部50aとが嵌合する筆記具であって、インク収容管31の先端付近と嵌合部50aとが重なり合う部分には、継ぎ手50の内部と外部とを連通させる通気部50bが設けられ、通気部50bは、インク収容管31の先端付近と嵌合部との重ね合わせ始めからインク収容管31と嵌合部50aとを重ね合わせる途中までは、開放され、インク収容管31の先端付近と嵌合部50aとを重ね合わせた状態では、封鎖されることを特徴とする。
【０００８】
つまり、本発明は、インク収容管31の先端に継ぎ手50が固定され、この継ぎ手50の先端にチップ40が固定されている筆記具に関するものである。
ここで、「インク収容管31」は、インクを収容するためのものである。インク収容管31は、筒状に形成されている。
また、「継ぎ手50」は、インク収容管31とチップ40とを接続するためのものである。継ぎ手50の先端に、チップ40が固定され、継ぎ手50の後端に、インク収容管31が固定される。
また、継ぎ手50の後端付近には、インク収容管31の先端付近とは径の大きさが異なる筒状の「嵌合部50a」が設けられている。そして、インク収容管31の先端付近と嵌合部50aとを重ね合わせると、インク収容管31の先端付近と嵌合部50aとが嵌合する。
【０００９】
例えば、嵌合部50aの内径を、インク収容管31の先端付近の外径よりもわずかに小さく形成する。そして、インク収容管31の先端付近を、嵌合部50aの内部に圧入する。そうすると、インク収容管31の先端付近と嵌合部50aとが重なり合って、インク収容管31の先端付近と嵌合部50aとが嵌合する。
また、例えば、嵌合部50aの外径を、インク収容管31の先端付近の内径よりもわずかに大きく形成する。そして、嵌合部50aを、インク収容管31の先端付近の内部に圧入する。そうすると、インク収容管31の先端付近と嵌合部50aとが重なり合って、インク収容管31の先端付近と嵌合部50aとが嵌合する。
【００１０】
つまり、「インク収容管31の先端付近と嵌合部50aとを重ね合わせると、インク収容管31の先端付近と嵌合部50aとが嵌合する」とは、「インク収容管31の先端付近を嵌合部50aの内部に圧入して、インク収容管31の先端付近と嵌合部50aとを重ね合わせて、インク収容管31の先端付近と嵌合部50aとを嵌合させること」及び「嵌合部50aをインク収容管31の先端付近の内部に圧入して、インク収容管31の先端付近と嵌合部50aとを重ね合わせて、インク収容管31の先端付近と嵌合部50aとを嵌合させること」の双方を含む趣旨である。
また、インク収容管31の先端付近と嵌合部50aとが重なり合う部分には、継ぎ手50の内部と外部とを連通させる「通気部50b」が設けられている。つまり、通気部50bは、継ぎ手50の内部の空気を外部に排出するためのものであって、継ぎ手50の内部と外部とを連通させている。
【００１１】
例えば、インク収容管31の先端付近を嵌合部50aの内部に圧入して、インク収容管31の先端付近と嵌合部50aとを重ね合わせて、インク収容管31の先端付近と嵌合部50aとを嵌合させる場合にあっては、インク収容管31の外周面と嵌合部50aの内周面との間に隙間を設け、この隙間を、通気部50bとすることができるし、また、嵌合部50aの所定位置に、嵌合部50aの内周面から外周面まで貫通する通気孔53dを設け、この通気孔53dを、通気部50bとすることもできる。
また、例えば、嵌合部50aをインク収容管31の先端付近の内部に圧入して、インク収容管31の先端付近と嵌合部50aとを重ね合わせて、インク収容管31の先端付近と嵌合部50aとを嵌合させる場合にあっては、インク収容管31の内周面と嵌合部50aの外周面との間に隙間を設け、この隙間を、通気部50bとすることができるし、また、嵌合部50aの所定位置に、嵌合部50aの内周面から外周面まで貫通する通気孔53dを設け、この通気孔53dを、通気部50bとすることもできる。
【００１２】
また、通気部50bは、インク収容管31の先端付近と嵌合部との重ね合わせ始めからインク収容管31と嵌合部50aとを重ね合わせる途中までは、開放され、インク収容管31の先端付近と嵌合部50aとを重ね合わせた状態では、封鎖される。
また、「インク収容管31の先端付近と嵌合部との重ね合わせ始め」とは、「インク収容管31の先端付近を嵌合部50aの内部へ圧入するために、インク収容管31の先端と嵌合部50aの後端とを接触させたとき」あるいは「嵌合部50aをインク収容管31の先端付近の内部に圧入するために、インク収容管31の先端と嵌合部50aの後端とを接触させたとき」を意味するものである。
【００１３】
また、「インク収容管31と嵌合部50aとを重ね合わせる途中」とは、「インク収容管31の先端付近を嵌合部50aの内部へ圧入するために、継ぎ手50に対してインク収容管31を摺動移動させている途中」あるいは「嵌合部50aをインク収容管31の先端付近の内部へ圧入するために、継ぎ手50に対してインク収容管31を摺動移動させている途中」を意味するものである。
また、「インク収容管31と嵌合部50aとを重ね合わせる途中までは、開放され、インク収容管31の先端付近と嵌合部50aとを重ね合わせた状態では、封鎖される」とは、「インク収容管31の先端付近を嵌合部50aの内部に圧入している途中で通気部50bが封鎖され、その後さらにインク収容管31の先端付近を嵌合部50aの内部に押し込むと、インク収容管31の先端付近と嵌合部50aとが嵌合する場合」と、「インク収容管31の先端付近と嵌合部50aとが嵌合する直前までは通気部50bが開放されていて、インク収容管31の先端付近と嵌合部50aとが嵌合すると同時に通気部50bが封鎖される場合」との双方を含む趣旨である。
【００１４】
また、「通気部50bが開放されている」とは、継ぎ手50の内部の空気を外部へ排出可能な状態となっていることを意味する。
また、「通気部50bが封鎖されている」とは、継ぎ手50の内部の空気を外部へ排出不可能な状態となっていることを意味する。
例えば、インク収容管31の先端が、嵌合部50aの先端内側に設けた先端シール部53bと全周にわたって当接するようにして、「通気部50bを封鎖」することができる。
また、例えば、通気孔53dの開口部が、インク収容管31の内周面で塞がれるようにして、「通気部50bを封鎖」することもできる。
【００１５】
（２）第２の発明
前記第２の課題に鑑み、本発明のうち第２の発明は、第１の発明の特徴に加え、嵌合部50aは、インク収容管31の先端付近よりも径が大きく、インク収容管31の先端付近を嵌合部50aの内部に圧入して、インク収容管31の先端付近と嵌合部50aとを重ね合わせると、インク収容管31の先端付近と嵌合部50aとが嵌合し、インク収容管31の外周面と嵌合部50aの内周面との間には隙間が設けられ、この隙間が、通気部50bとされていることを特徴とする。
つまり、本発明は、インク収容管31の先端付近を嵌合部50aの内部に圧入することにより、インク収容管31の先端に継ぎ手50を固定するようにしたものである。そして、インク収容管31の外周面と嵌合部50aの内周面との間に隙間を設け、この隙間を、通気部50bとしたものである。
【００１６】
例えば、嵌合部50aの内周面に溝を設けたり、インク収容管31の外周面に溝を設けたり、嵌合部50aの内周面にリブを設けたり、インク収容管31の外周面にリブを設けたり、あるいは嵌合部50aの内周面とインク収容管31の外周面との形状を異ならせる（例えば、嵌合部50aを多角筒状にし、かつ、インク収容管31を円筒状にする）ことにより、インク収容管31の外周面と嵌合部50aの内周面との間に隙間を設けることができる。
（３）第３の発明
前記第３の課題に鑑み、本発明のうち第３の発明は、第２の発明の特徴に加え、嵌合部50aの内周面には、嵌合部50aの後端から先端方向へ向けて延びる通気溝53aが設けられ、この通気溝53aによって、インク収容管31の外周面と嵌合部50aの内周面との間に隙間ができることを特徴とする。
【００１７】
つまり、本発明は、嵌合部50aの内周面に通気溝53aを設け、この通気溝53aによって、インク収容管31の外周面と嵌合部50aの内周面との間に隙間ができるようにしたものである。
通気溝53aは、嵌合部50aの先端まで延ばしてもよく、また、嵌合部50aの先端よりも手前で終わるようにしてもよい。
（４）第４の発明
前記第４の課題に鑑み、本発明のうち第４の発明は、第３の発明の特徴に加え、嵌合部50aの先端内側には、インク収容管31の先端と全周にわたって当接する先端シール部53bが設けられていることを特徴とする。
【００１８】
つまり、先端シール部53bは、嵌合部50aの先端内側に設けられている。そして、インク収容管31の先端付近を嵌合部50aの内部に圧入して、インク収容管31の先端付近と嵌合部50aとを重ね合わせて、インク収容管31の先端付近と嵌合部50aとを嵌合させた状態では、先端シール部53bは、インク収容管31の先端と全周にわたって当接する。
またここで、インク収容管31の先端における前向きの面を「先端前面」とし、インク収容管31の先端における外向きの面を「先端外周面」とすると、先端シール部53bは、例えば、インク収容管31の先端前面及び先端外周面の双方と全周にわたって当接するように形成してもよく、また、インク収容管31の先端前面のみと全周にわたって当接するように形成してもよく、また、インク収容管31の先端外周面のみと全周にわたって当接するように形成してもよい。
【００１９】
つまり、先端シール部53bが全周にわたって当接するのは、インク収容管31の先端前面及び先端外周面の双方としてもよく、また、インク収容管31の先端前面のみとしてもよく、また、インク収容管31の先端外周面のみとしてもよい。
（５）第５の発明
前記第５の課題に鑑み、本発明のうち第５の発明は、第４の発明の特徴に加え、通気溝53aは、先端シール部53bまで延びていることを特徴とする。
（６）第６の発明
前記第６の課題に鑑み、本発明のうち第６の発明は、第２ないし第５の発明の特徴に加え、嵌合部50aの内側には、その外径が嵌合部50aの内径よりも小さい筒状の内筒部52が設けられ、内筒部52は、インク収容管31の先端付近の内部に挿入され、内筒部52の外周面は、インク収容管31の内周面と圧接していることを特徴とする。
【００２０】
つまり、内筒部52は、嵌合部50aの内側に設けられている。また、内筒部52は、筒状に形成されている。また、内筒部52の外径は、嵌合部50aの内径よりも小さく形成されている。更に、内筒部52は、インク収容管31の先端付近の内部に挿入されている。そして、内筒部52の外周面は、インク収容管31の内周面と圧接している。
（７）第７の発明
前記第７の課題に鑑み、本発明のうち第７の発明は、第２の発明の特徴に加え、嵌合部50aの内周面には、嵌合部50aの後端から先端方向へ向けて延び、かつ、嵌合部50aの内方へ向けて突出する内リブ53cが設けられ、この内リブ53cによって、インク収容管31の外周面と嵌合部50aの内周面との間に隙間ができることを特徴とする。
【００２１】
つまり、本発明は、嵌合部50aの内周面に内リブ53cを設け、この内リブ53cによって、インク収容管31の外周面と嵌合部50aの内周面との間に隙間ができるようにしたものである。
内リブ53cは、嵌合部50aの先端まで延ばしてもよく、また、嵌合部50aの先端よりも手前で終わるようにしてもよい。
（８）第８の発明
前記第８の課題に鑑み、本発明のうち第８の発明は、第２の発明の特徴に加え、インク収容管31の外周面には、インク収容管31の先端から後端方向へ向けて延び、かつ、インク収容管31の外方へ向けて突出する外リブ31aが設けられ、この外リブ31aによって、インク収容管31の外周面と嵌合部50aの内周面との間に隙間ができることを特徴とする。
【００２２】
つまり、本発明は、インク収容管31の外周面に外リブ31aを設け、この外リブ31aによって、インク収容管31の外周面と嵌合部50aの内周面との間に隙間ができるようにしたものである。
（９）第９の発明
前記第９の課題に鑑み、本発明のうち第９の発明は、第１の発明の特徴に加え、嵌合部50aは、インク収容管31の先端付近よりも径が大きく、インク収容管31の先端付近を嵌合部50aの内部に圧入して、インク収容管31の先端付近と嵌合部50aとを重ね合わせると、インク収容管31の先端付近と嵌合部50aとが嵌合し、嵌合部50aの所定位置には、嵌合部50aの内周面から外周面まで貫通する通気孔53dが設けられ、この通気孔53dが、通気部50bとされていることを特徴とする。
【００２３】
つまり、本発明は、インク収容管31の先端付近を嵌合部50aの内部に圧入することにより、インク収容管31の先端に継ぎ手50を固定するようにしたものである。そして、嵌合部50aの所定位置に、嵌合部50aの内周面から外周面まで貫通する通気孔53dを設け、この通気孔53dを、通気部50bとしたものである。
通気孔53dは、１つのみでもよく、また、複数設けてもよい。
【発明の効果】
【００２４】
（１）第１の発明の効果
第１の発明によれば、インク収容管の先端付近と嵌合部とが重なり合う部分に、継ぎ手の内部と外部とを連通させる通気部が設けられている。このため、インク収容管の先端に継ぎ手を固定する際に、継ぎ手の内部の空気が通気部を介して継ぎ手の外部に排出されるので、インク収容管の内部のインクを後方へずれにくくすることができる。更に、インク収容管の先端に継ぎ手を固定し終えた状態では、通気部が封鎖されるので、通気部を介してインクが漏れ出すことがないのである。
（２）第２の発明の効果
第２の発明によれば、インク収容管の先端付近が、嵌合部の内部に圧入されるようになっており、更には、インク収容管の外周面と嵌合部の内周面との間に隙間が設けられ、この隙間が、通気部とされている。このため、通気部の構成が比較的簡単であり、製造しやすいのである。
【００２５】
（３）第３の発明の効果
第３の発明によれば、嵌合部の内周面に通気溝が設けられ、この通気溝によって、インク収容管の外周面と嵌合部の内周面との間に隙間ができるようにしている。このため、隙間の構成が比較的簡単であり、製造しやすいのである。
（４）第４の発明の効果
第４の発明によれば、嵌合部の先端内側に、インク収容管の先端と全周にわたって当接する先端シール部が設けられている。このため、インク収容管と継ぎ手との間の隙間からインクが漏れ出さないのである。
【００２６】
（５）第５の発明の効果
第５の発明によれば、通気溝が、先端シール部まで延びている。このため、継ぎ手の内部の空気の排出効率が高く、インクの後方へのずれを極力抑えることができるのである。
（６）第６の発明の効果
第６の発明によれば、嵌合部の内側に内筒部が設けられ、内筒部の外周面は、インク収容管の内周面と圧接している。このため、インク収容管の先端付近は、内側と外側との両方から押さえ込まれるようにして、継ぎ手の後端付近に固定されている。これにより、インク収容管と継ぎ手との間の係止力を比較的大きくしつつ、インク収容管の先端付近や継ぎ手の後端付近の変形を比較的小さく抑えることができる。したがって、インク収容管の先端から継ぎ手が外れにくくすることができ、しかも、インク収容管の先端付近や継ぎ手の後端付近にクラックが発生しにくくすることができるのである。
【００２７】
（７）第７の発明の効果
第７の発明によれば、嵌合部の内周面に内リブが設けられ、この内リブによって、インク収容管の外周面と嵌合部の内周面との間に隙間ができるようにしている。このため、隙間の構成が比較的簡単であり、製造しやすいのである。
（８）第８の発明の効果
第８の発明によれば、インク収容管の外周面に外リブが設けられ、この外リブによって、インク収容管の外周面と嵌合部の内周面との間に隙間ができるようにしている。このため、隙間の構成が比較的簡単であり、製造しやすいのである。
【００２８】
（９）第９の発明の効果
第９の発明によれば、インク収容管の先端付近が、嵌合部の内部に圧入されるようになっており、更には、嵌合部の所定位置に通気孔が設けられ、この通気孔が、通気部とされている。このため、通気部の構成が比較的簡単であり、製造しやすいのである。
【発明を実施するための最良の形態】
【００２９】
（第１の実施の形態）
以下、本発明の第１の実施の形態を、図１ないし図５に基づいて説明する。
図１は、第１の実施の形態に係る筆記具としてのボールペン10の側断面図、図２は、同ボールペン10の要部側断面図、図３は、同ボールペン10の収容管固定部51の拡大図、図４は、同ボールペン10の継ぎ手50の側断面図、図５は、図４のＡ−Ａ線断面図である。
本実施の形態に係る筆記具としてのボールペン10は、図１に示すように、筒状の軸筒15と、この軸筒15の内部に組み込まれたリフィル30とを備えている。
リフィル30は、図１に示すように、筒状のインク収容管31と、このインク収容管31の先端に固定した継ぎ手50と、この継ぎ手50の先端に固定したチップ40とを備えている。
【００３０】
インク収容管31は、インクを収容するためのものである。このインク収容管31の内部に、インクが収容される。
また、インク収容管31は、継ぎ手50の材質より硬く、剛性の高い材料を用いて形成されている。具体的には、インク収容管31には、例えば、環状オレフィンコポリマー（ＣＯＣ）を用いることができる。環状オレフィンコポリマー（ＣＯＣ）のロックウェル硬度値は１２０、引っ張り伸び率は１００％である。また、インク収容管31には、例えば、ポリカーボネートや、アクリルスチレンや、エチレンビニルアルコール共重合体（ＥＶＯＨ）や、ナイロンなどを用いることもできる。
【００３１】
また、インク収容管31は、透明な材料を用いて形成されていて、その内部を外部から視認可能とされている。これにより、インク収容管31の内部にどのくらいインクが残っているかが、インク収容管31の外部から見てわかるようになっている。
継ぎ手50は、インク収容管31とチップ40とを接続するためのものである。この継ぎ手50の先端に、チップ40が固定され、この継ぎ手50の後端には、インク収容管31が固定されている。
また、継ぎ手50は、インク収容管31の材質よりも軟らかく、伸びの良い材料を用いて、射出成型により一体的に形成されている。具体的には、継ぎ手50には、例えば、ポリプロピレン（ＰＰ）を用いることができる。ポリプロピレン（ＰＰ）のロックウェル硬度値は１００であり、引っ張り伸び率は２００％である。また、継ぎ手50には、例えば、ポリエチレンや、変性ポリフェニレンエーテル（変性ＰＰＥ）や、ポリブチレンテレフタレート（ＰＢＴ）などを用いることもできる。
【００３２】
また、継ぎ手50は、透明な材料を用いて形成されていて、その内部のインクを外部から視認可能とされている。
また、図２及び図３に示すように、継ぎ手50の後端付近には、インク収容管31を固定するための収容管固定部51が設けられている。収容管固定部51は、嵌合部50aとしての筒状の外筒部53と、この外筒部53の内側に設けられている筒状の内筒部52とを有している。また、内筒部52と外筒部53とは、軸心を一致させてある。また、外筒部53の内径は、内筒部52の外径よりも大きく形成されている。また、内筒部52の外径は、インク収容管31の内径よりもわずかに大きく形成されている。また、外筒部53の内径は、インク収容管31の外径よりもわずかに小さく形成されている。そして、内筒部52と外筒部53との間の間隙に、インク収容管31の先端付近が圧入されている。これにより、内筒部52の外周面は、インク収容管31の内周面に圧接し、外筒部53の内周面は、インク収容管31の外周面に圧接している。そして、インク収容管31の先端付近と外筒部53とが重なり合って、インク収容管31の先端付近と外筒部53とが嵌合している。
【００３３】
また、図２ないし図４に示すように、嵌合部50aとしての外筒部53の先端内側には、インク収容管31の先端と全周にわたって当接する先端シール部53bが設けられている。本実施の形態では、先端シール部53bは、インク収容管31の先端前面のみと全周にわたって当接するように形成されている。
また、図２ないし図５に示すように、嵌合部50aとしての外筒部53の内周面には、４本の通気溝53aが設けられている。これらの通気溝53aは、外筒部53の中心から見て放射状に設けられている。また、各通気溝53aは、外筒部53の後端から先端方向へ向けて形成されており、先端シール部53bまで延びている。これらの通気溝53aによって、インク収容管31の外周面と外筒部53の内周面との間に隙間ができるようにしている。そして、この隙間を、通気部50bとしている。
【００３４】
また、通気部50bは、継ぎ手50の内部と外部とを連通させるものであって、図２及び図３に示すように、インク収容管31の先端付近と外筒部53とが重なり合う部分に設けられている。この通気部50bは、インク収容管31の先端と外筒部53の後端とが接触したときからインク収容管31の先端付近と外筒部53とが嵌合する直前までは開放され、インク収容管31の先端付近と外筒部53とが嵌合すると同時に封鎖される。インク収容管31の先端付近と外筒部53とが嵌合すると、インク収容管31の先端前面が先端シール部53bと全周にわたって当接し、これにより、通気部50bが封鎖される。
また、図２及び図３に示すように、内筒部52の外周面には、インク収容管31の内周面と全周にわたって圧接するシール部52aが設けられている。つまり、シール部52aは、内筒部52の外周面に環状に設けられており、インク収容管31の内周面と全周にわたって圧接している。これにより、シール部52aは、インク収容管31と継ぎ手50との間の隙間をシールしている。
【００３５】
また、内筒部52の外径とインク収容管31の内径との差は、外筒部53の内径とインク収容管31の外径との差よりも小さくしてある。更に、図２及び図３に示すように、内筒部52の肉厚は、外筒部53の肉厚よりも薄くしてある。これにより、内筒部52がインク収容管31を押し広げようとする力よりも、外筒部53がインク収容管31を押しすぼめようとする力の方が強くなっている。
また、継ぎ手50には、その先端から後端まで貫通する貫通孔54が設けられている。貫通孔54は、先端側から順に、チップ固定孔54a、弁室54b、弁座54c、小導孔54d、及び大導孔54eからなる。つまり、継ぎ手50の先端側から順に、チップ固定孔54a、弁室54b、弁座54c、小導孔54d、及び大導孔54eが一連となって、貫通孔54が構成されている。チップ固定孔54aと弁室54bとは、内径がほぼ等しい円孔状に形成されている。また、弁座54cは、後端側へ向けて内径を次第に小さくするテーパー状に形成されている。また、小導孔54dは、貫通孔54の中で内径が最も小さい円孔状に形成されている。また、大導孔54eは、小導孔54dよりも内径が大きい円孔状に形成されている。また、大導孔54eは、インク収容管31の内部へ連通している。
【００３６】
チップ40は、ボール41と、このボール41を抱持するためのホルダー42とを備えている。ホルダー42は、その先端に、ボール41を収納するためのボールハウス43を有するとともに、その後端からボールハウス43まで貫通するバック孔44を有している。ボールハウス43にボール41を収納した後に、ホルダー42の先端をかしめることにより、ホルダー42の先端にボール41を回転自在に抱持させている。また、バック孔44は、後端側から先端側へ向けて内径が階段状に小さくなっている。
また、ホルダー42の後端付近には、ホルダー42の中央部分よりも外径が小さい小径部45が設けられている。そして、この小径部45が、継ぎ手50のチップ固定孔54aに圧入されている。このようにして、継ぎ手50の先端に、チップ40が固定されている。
【００３７】
また、貫通孔54の途中には、逆流防止機構19が設けられている。この逆流防止機構19は、インクの逆流を防止するためのものである。この逆流防止機構19は、弁室54b、流入口55、流出口56、弁体57、規制体58、及び弁座54cからなる。弁室54bは、継ぎ手50の中心に位置しており、貫通孔54の一部から構成されている。弁室54bのインク収容管31側には、流入口55が開口し、弁室54bのチップ40側には、流出口56が開口している。本実施の形態では、小導孔54dの先端側の開口部が、流入口55となっており、また、バック孔44の後端側の開口部が、流出口56となっている。流入口55も、流出口56も、弁室54bより内径が小さい。そして、流入口55から弁室54b内へインクが流入し、また、弁室54b内のインクは流出口56から流出する。
【００３８】
また、弁室54b内には、弁体57と規制体58とが収納されている。弁体57は、弁室54b内における流入口55側の位置に収納され、また、規制体58は、弁室54b内における流出口56側の位置に収納されている。
弁体57は、ステンレス製で、球状に形成されている。弁体57の直径は、弁室54bの内径よりも小さく、かつ、流入口55の内径よりも大きい。これにより、弁体57は、自重により弁室54b内を移動可能とされている。また、弁体57は、流入口55から弁室54bの外部へ抜け出すこともない。
規制体58は、ステンレス製で、長方形の平板状に形成されている。規制体58の短辺は、弁室54bの内径よりも小さく、かつ、流出口56の内径よりも大きい。また、規制体58の長辺は、弁室54bの内径よりも大きい。これにより、規制体58は、自重により弁室54b内を移動可能とされ、また、弁室54b内のインクの流れを遮断せず、かつ、流出口56を塞がない。また、規制体58は、流出口56から弁室54bの外部へ抜け出すこともない。したがって、規制体58が、ホルダー42内に入り込むことはなく、また、ボール41と接触することもない。
【００３９】
また、弁体57も、規制体58も、弁室54b内を移動可能とされるものの、弁体57は、常に、規制体58よりも流入口55側に位置し、また、規制体58は、常に、弁体57よりも流出口56側に位置する。
そして、チップ40を上向きにすると、弁体57が自重で流入口55方向へ落下し、弁座54cの全周にわたって弁体57が当接して、流入口55が弁体57で塞がれる。これにより、インクの逆流が防止される。
一方、チップ40を下向きにすると、弁体57が自重で流出口56方向へ落下し、弁座54cから弁体57が離れて、流入口55が開放される。同時に、規制体58が自重で流出口56方向へ落下してチップ40のホルダー42の後端に当接し、弁体57は、規制体58に当接して流出口56まで到達しない。これにより、流入口55から弁室54b内へインクが流入するとともに、流出口56が弁体57で塞がれないので、弁室54b内のインクが流出口56から流出して、チップ40へインクが供給される。またこのとき、弁体57は、弁座54cから離れるものの、規制体58によって流出口56方向への移動を規制されるため、弁座54cから比較的近い位置に留まる。このため、チップ40を下向きから上向きにしたときに、弁体57が弁座54cに当接するまでに要する時間が、比較的短い。
【００４０】
以上説明したように、本実施の形態では、インク収容管31の先端付近と嵌合部50aとしての外筒部53とが重なり合う部分に、継ぎ手50の内部と外部とを連通させる通気部50bが設けられている。このため、インク収容管31の先端に継ぎ手50を固定する際に、継ぎ手50の内部の空気が通気部50bを介して継ぎ手50の外部に排出されるので、インク収容管31の内部のインクが後方へずれにくい。更に、インク収容管31の先端に継ぎ手50を固定し終えた状態では、インク収容管31の先端前面が先端シール部53bの全周にわたって当接することにより、通気部50bが封鎖されるので、通気部50bを介してインクが漏れ出すことがないのである。
【００４１】
また、本実施の形態では、インク収容管31の先端付近が、嵌合部50aとしての外筒部53の内部に圧入されるようになっており、更には、インク収容管31の外周面と嵌合部50aとしての外筒部53の内周面との間に隙間が設けられ、この隙間が、通気部50bとされている。このため、通気部50bの構成が比較的簡単であり、製造しやすいのである。
また、本実施の形態では、嵌合部50aとしての外筒部53の内周面に通気溝53aが設けられ、この通気溝53aによって、インク収容管31の外周面と嵌合部50aとしての外筒部53の内周面との間に隙間ができるようにしている。このため、隙間の構成が比較的簡単であり、製造しやすいのである。
【００４２】
また、本実施の形態では、嵌合部50aとしての外筒部53の先端内側に、インク収容管31の先端と全周にわたって当接する先端シール部53bが設けられている。このため、インク収容管31と継ぎ手50との間の隙間からインクが漏れ出さないのである。
また、本実施の形態では、通気溝53aが、先端シール部53bまで延びている。このため、継ぎ手50の内部の空気の排出効率が高く、インクの後方へのずれを極力抑えることができるのである。
また、本実施の形態では、嵌合部50aとしての外筒部53の内側に内筒部52が設けられ、内筒部52の外周面は、インク収容管31の内周面と圧接している。このため、インク収容管31の先端付近は、内側と外側との両方から押さえ込まれるようにして、継ぎ手50の後端付近に固定されている。これにより、インク収容管31と継ぎ手50との間の係止力を比較的大きくしつつも、インク収容管31の先端付近や継ぎ手50の後端付近の変形は比較的小さく抑えられている。したがって、インク収容管31の先端から継ぎ手50が外れにくく、しかも、インク収容管31の先端付近や継ぎ手50の後端付近にクラックが発生しにくいのである。
【００４３】
また、本実施の形態では、インク収容管31と継ぎ手50との間の隙間が、シール部52aによってシールされている。このため、インク収容管31と継ぎ手50との間から、インクが漏れ出さないのである。
また、本実施の形態では、インク収容管31には、引っ張り伸びが比較的小さい材料が用いられている。かかる材料は、圧縮力を加えられたときよりも、引っ張り力を加えられたときの方が、クラックを発生させやすいのみならず、引っ張り力にはきわめて弱くて、比較的弱い引っ張り力を加えられただけでも、クラックを発生させてしまうことがある。しかしながら、本実施の形態では、内筒部52がインク収容管31を押し広げようとする力よりも、外筒部53がインク収容管31を押しすぼめようとする力の方が強くなっている。これにより、インク収容管31の先端付近には、圧縮力が加えられるようになっているので、インク収容管31の先端付近に、クラックが発生しにくいのである。
【００４４】
（第２の実施の形態）
以下、本発明の第２の実施の形態を、図６に基づいて説明する。
図６は、第２の実施の形態に係る筆記具としてのボールペン10の要部側断面図である。
図６に示すように、この実施の形態では、通気溝53aは、嵌合部50aの後端から先端方向へ向けて延びているが、嵌合部50aの先端よりも手前で終わっている。そして、この通気溝53aによって、インク収容管31の外周面と外筒部53の内周面との間に隙間ができるようにし、この隙間を、通気部50bとしている。
また、嵌合部50aの先端内側には、先端シール部53bが設けられている。この実施の形態では、先端シール部53bは、インク収容管31の先端前面及び先端外周面の双方と全周にわたって当接するように形成されている。
【００４５】
この実施の形態でも、インク収容管31の先端に継ぎ手50を固定する際に、継ぎ手50の内部の空気が通気部50bを介して継ぎ手50の外部に排出されるので、インク収容管31の内部のインクが後方へずれにくい。更に、インク収容管31の先端に継ぎ手50を固定し終えた状態では、インク収容管31の先端前面及び先端外周面の双方が先端シール部53bと全周にわたって当接することから、通気部50bが封鎖されるので、通気部50bを介してインクが漏れ出すことがない。また、インク収容管31の外周面と嵌合部50aの内周面との間に隙間が設けられ、この隙間が、通気部50bとされている。このため、通気部50bの構成が比較的簡単であり、製造しやすい。また、嵌合部50aの内周面に通気溝53aが設けられ、この通気溝53aによって、インク収容管31の外周面と嵌合部50aの内周面との間に隙間ができるようにしている。このため、隙間の構成が比較的簡単であり、製造しやすいのである。
【００４６】
（第３の実施の形態）
以下、本発明の第３の実施の形態を、図７に基づいて説明する。
図７は、第３の実施の形態に係る筆記具としてのボールペン10の要部側断面図である。
図７に示すように、この実施の形態では、インク収容管31の先端付近が、嵌合部50aの内部に圧入されるようになっており、更には、嵌合部50aの所定位置に通気孔53dが設けられ、この通気孔53dが、通気部50bとされている。
また、嵌合部50aの先端内側には、先端シール部53bが設けられている。この実施の形態では、先端シール部53bは、インク収容管31の先端前面及び先端外周面の双方と全周にわたって当接するように形成されている。
【００４７】
この実施の形態でも、インク収容管31の先端に継ぎ手50を固定する際に、継ぎ手50の内部の空気が通気部50bを介して継ぎ手50の外部に排出されるので、インク収容管31の内部のインクが後方へずれにくい。また、インク収容管31の先端に継ぎ手50を固定する途中で、通気孔53dの開口部がインク収容管31の外周面で塞がれて、通気部50bが封鎖されるので、通気部50bを介してインクが漏れ出すことがない。更に、インク収容管31の先端に継ぎ手50を固定し終えた状態では、インク収容管31の先端前面及び先端外周面の双方が先端シール部53bと全周にわたって当接することから、インク収容管31と継ぎ手50との間からインクが漏れ出すことがない。また、インク収容管31の先端付近が、嵌合部50aの内部に圧入されるようになっており、更には、嵌合部50aの所定位置に通気孔53dが設けられ、この通気孔53dが、通気部50bとされている。このため、通気部50bの構成が比較的簡単であり、製造しやすいのである。
【００４８】
（第４の実施の形態）
以下、本発明の第４の実施の形態を、図８に基づいて説明する。
図８（Ａ）は、第４の実施の形態に係る筆記具としてのボールペン10の要部側断面図、図８（Ｂ）は、図８（Ａ）のＢ−Ｂ線断面図である。
図８に示すように、この実施の形態では、嵌合部50aの内周面に、４本の内リブ53cが設けられている。これらの内リブ53cは、嵌合部50aの中心から見て放射状に設けられている。また、各内リブ53cは、嵌合部50aの後端から先端方向へ向けて延び、かつ、嵌合部50aの内方へ向けて突出している。そして、この実施の形態では、これらの内リブ53cによって、インク収容管31の外周面と嵌合部50aの内周面との間に隙間ができるようにし、この隙間を、通気部50bとしている。
【００４９】
また、嵌合部50aの先端内側には、先端シール部53bが設けられている。この実施の形態では、先端シール部53bは、インク収容管31の先端前面のみと全周にわたって当接するように形成されている。
この実施の形態でも、インク収容管31の先端に継ぎ手50を固定する際に、継ぎ手50の内部の空気が通気部50bを介して継ぎ手50の外部に排出されるので、インク収容管31の内部のインクが後方へずれにくい。更に、インク収容管31の先端に継ぎ手50を固定し終えた状態では、インク収容管31の先端前面が、先端シール部53bと全周にわたって当接することから、通気部50bが封鎖されるので、通気部50bを介してインクが漏れ出すことがない。また、インク収容管31の外周面と嵌合部50aの内周面との間に隙間が設けられ、この隙間が、通気部50bとされている。このため、通気部50bの構成が比較的簡単であり、製造しやすい。また、嵌合部50aの内周面に内リブ53cが設けられ、この内リブ53cによって、インク収容管31の外周面と嵌合部50aの内周面との間に隙間ができるようにしている。このため、隙間の構成が比較的簡単であり、製造しやすいのである。
【００５０】
（第５の実施の形態）
以下、本発明の第５の実施の形態を、図９に基づいて説明する。
図９（Ｃ）は、第５の実施の形態に係る筆記具としてのボールペン10の要部側断面図、図９（Ｄ）は、図９（Ｃ）のＣ−Ｃ線断面図である。
図９に示すように、この実施の形態では、インク収容管31の外周面に、４本の外リブ31aが設けられている。これらの外リブ31aは、インク収容管31の中心から見て放射状に設けられている。また、各外リブ31aは、インク収容管31の先端から後端方向へ向けて延び、かつ、インク収容管31の外方へ向けて突出している。そして、この実施の形態では、これらの外リブ31aによって、インク収容管31の外周面と嵌合部50aの内周面との間に隙間ができるようにし、この隙間を、通気部50bとしている。
【００５１】
また、嵌合部50aの先端内側には、先端シール部53bが設けられている。この実施の形態では、先端シール部53bは、インク収容管31の先端前面のみと全周にわたって当接するように形成されている。
この実施の形態でも、インク収容管31の先端に継ぎ手50を固定する際に、継ぎ手50の内部の空気が通気部50bを介して継ぎ手50の外部に排出されるので、インク収容管31の内部のインクが後方へずれにくい。更に、インク収容管31の先端に継ぎ手50を固定し終えた状態では、インク収容管31の先端前面が、先端シール部53bと全周にわたって当接することから、通気部50bが封鎖されるので、通気部50bを介してインクが漏れ出すことがない。また、インク収容管31の外周面と嵌合部50aの内周面との間に隙間が設けられ、この隙間が、通気部50bとされている。このため、通気部50bの構成が比較的簡単であり、製造しやすい。また、嵌合部50aの内周面に内リブ53cが設けられ、この内リブ53cによって、インク収容管31の外周面と嵌合部50aの内周面との間に隙間ができるようにしている。このため、隙間の構成が比較的簡単であり、製造しやすいのである。
【図面の簡単な説明】
【００５２】
【図１】本発明の第１の実施の形態に係る筆記具としてのボールペンの側断面図。
【図２】本発明の第１の実施の形態に係る筆記具としてのボールペンの要部側断面図。
【図３】本発明の第１の実施の形態に係る筆記具としてのボールペンの収容管固定部の拡大図。
【図４】本発明の第１の実施の形態に係る筆記具としてのボールペンの継ぎ手の側断面図。
【図５】図４のＡ−Ａ線断面図。
【図６】本発明の第２の実施の形態に係る筆記具としてのボールペンの要部側断面図。
【図７】本発明の第３の実施の形態に係る筆記具としてのボールペンの要部側断面図。
【図８】本発明の第４の実施の形態に係る筆記具としてのボールペンの要部側断面図。
【図９】本発明の第５の実施の形態に係る筆記具としてのボールペンの要部側断面図。
【符号の説明】
【００５３】
10   ボールペン                          15   軸筒
19   逆流防止機構                        30   リフィル
31   インク収容管                        31a  外リブ
40   チップ                              41   ボール
42   ホルダー                            43   ボールハウス
44   バック孔                            45   小径部
50   継ぎ手                              50a  嵌合部
50b  通気部                              51   収容管固定部
52   内筒部                              52a  シール部
53   外筒部                              53a  通気溝
53b  先端シール部                        53c  内リブ
53d  通気孔                                          
54   貫通孔                              54a  チップ固定孔
54b  弁室                                54c  弁座
54d  小導孔                              54e  大導孔
55   流入口                              56   流出口
57   弁体                                58   規制体
【図１】
2005081646.tif 000003
【図２】
2005081646.tif 000004
【図３】
2005081646.tif 000005
【図４】
2005081646.tif 000006
【図５】
2005081646.tif 000007
【図６】
2005081646.tif 000008
【図７】
2005081646.tif 000009
【図８】
2005081646.tif 000010
【図９】
2005081646.tif 000011